(57)【要約】【課題】軒樋の前耳を、上方へ開口した断面コ状の軒樋耳部嵌合凹所に簡単且つスムーズに係止させる。【解決手段】軒樋支持具本体１の前部に設けた上方へ開口した断面コ状の軒樋耳部嵌合凹所２に、軒樋Ｔの前耳Ｔ１を嵌挿すると共に、前記軒樋耳部嵌合凹所２の後壁部上端から前方に延設した係止片３を、前記前耳Ｔ１に係止してなる軒樋支持構造において、前記軒樋Ｔの前耳Ｔ１の上面部を、後方下側に向けて傾斜させて傾斜面部Ｔ１１を形成し、この傾斜面部Ｔ１１に沿って前記軒樋支持具本体１の係止片３をスライドさせて係止させる構造にする。【選択図】図１
2008240433.tif 000002
【特許請求の範囲】
【請求項１】
軒樋支持具本体の前部に設けた上方へ開口した断面コ状の軒樋耳部嵌合凹所に、軒樋の前耳を嵌挿すると共に、前記軒樋耳部嵌合凹所の後壁部上端から前方に延設した係止片を、前記前耳に係止してなる軒樋支持構造において、
前記軒樋の前耳の上面部を、後方下側に向けて傾斜させて傾斜面部を形成し、この傾斜面部に沿って前記軒樋支持具本体の係止片をスライドさせて係止させる構造にしたことを特徴とする軒樋支持構造。
【請求項２】
請求項１において、
係止片の先端を前方下側に向けて傾斜させて傾斜ガイド面を形成し、この傾斜ガイド面を前耳の傾斜面部に沿ってスライドさせて係止させる構造にしている軒樋支持構造。
【請求項３】
請求項１又は２の何れかにおいて、
軒樋耳部嵌合凹所の下方に延設される軒樋支持具本体の前壁部に、前方側に向けて突設した下支え突部を形成してなる軒樋支持構造。
【発明の詳細な説明】
【技術分野】
【０００１】
本発明は、軒樋の前耳を係止する構造に関し、詳しくは、軒樋支持具本体の前部に設けた上方へ開口した断面コ状の軒樋耳部嵌合凹所に、軒樋の前耳を嵌挿すると共に、前記軒樋耳部嵌合凹所の後壁部上端から前方に延設した係止片を、前記前耳に係止してなる軒樋支持構造に関する。
【背景技術】
【０００２】
軒樋には、種々の形状が存在するが、その中でも、軒樋の前耳が前方に突出していない形状のものが知られている。
【０００３】
例えば、軒樋の前壁上端に、後方に向けて連出した連出片を設け、この連出片の先端に前耳を形成するとともに、前記軒樋の後壁上端に後耳を形成したものがある。
【０００４】
そして、前記軒樋を支持するには、軒樋支持具の前方上端に設けた前耳係止部を、前記前耳に嵌合し、この状態で軒樋を回転して前記後耳を後耳係止部に嵌合することで軒樋を支持する構造にしている（例えば、特許文献１参照。）。
【０００５】
しかし、この軒樋支持構造では、軒樋の形状が複雑化し、水漏れ等の問題があるとして、近年、一歩進んだ軒樋支持構造が提案されている。
【０００６】
この軒樋支持構造は、軒樋支持具本体の前部に設けた上方へ開口した断面コ状の軒樋耳部嵌合凹所に、上面部が水平な略半円形状の前耳を嵌挿すると共に、前記軒樋耳部嵌合凹所の後壁部上端から前方に延設した係止片を、前記前耳に係止するものである（例えば、特許文献２参照。）。
【０００７】
このような軒樋支持構造であれば、軒樋の前耳を軒樋耳部嵌合凹所に上方から挿入して、軒樋の回転にて前耳全体を前保持凹部に収まるように嵌合することにより、前述した軒樋の形状が複雑化し、水漏れ等の問題を解消できる。
【特許文献１】特開平９−１５１５８０号
【特許文献２】特開２００４−２１１４６６号
【発明の開示】
【発明が解決しようとする課題】
【０００８】
しかし、このような軒樋支持構造には、以下の問題があった。
【０００９】
すなわち、前記軒樋の前耳を軒樋耳部嵌合凹所に上方から挿入する際、上面部が水平な略半円形状の前耳であるため、軒樋を略９０°回転させた状態（前壁を略水平な状態）にして、前耳を軒樋耳部嵌合凹所に挿入した後、先程とは逆方向に略９０°回転させて前耳全体を軒樋耳部嵌合凹所に係止する構造であった。
【００１０】
そのため、軒樋の前耳を軒樋耳部嵌合凹所に挿入する作業が非常に困難であり、特に、高所で設置作業を行うことが多い軒樋であるため、これを略９０°回転させて挿入することは危険も伴う。
【００１１】
本発明は、かかる課題を解決することを目的とし、軒樋の前耳形状を改良するとともに、この前耳を軒樋耳部嵌合凹所に簡単且つスムーズに係止させる構造を提供する。
【課題を解決するための手段】
【００１２】
上記目的を達成するため、
請求項１に係る軒樋支持構造は、軒樋支持具本体の前部に設けた上方へ開口した断面コ状の軒樋耳部嵌合凹所に、軒樋の前耳を嵌挿すると共に、前記軒樋耳部嵌合凹所の後壁部上端から前方に延設した係止片を、前記前耳に係止してなる軒樋支持構造において、前記軒樋の前耳の上面部を、後方下側に向けて傾斜させて傾斜面部を形成し、この傾斜面部に沿って前記軒樋支持具本体の係止片をスライドさせて係止させる構造にしたことを特徴とする。
【００１３】
請求項２に係る軒樋支持構造は、請求項１において、係止片の先端を前方下側に向けて傾斜させて傾斜ガイド面を形成し、この傾斜ガイド面を前耳の傾斜面部に沿ってスライドさせて係止させる構造にしている。
【００１４】
請求項３に係る軒樋支持構造は、請求項１又は２の何れかにおいて、軒樋耳部嵌合凹所の下方に延設される軒樋支持具本体の前壁部に、前方側に向けて突設した下支え突部を形成してなる。
【発明の効果】
【００１５】
本発明によれば、次のような効果がある。
【００１６】
請求項１に係る軒樋支持構造によれば、軒樋の前耳の上面部を、後方下側に向けて傾斜させて傾斜面部を形成し、この傾斜面部に沿って前記軒樋支持具本体の係止片をスライドさせて係止させる構造にしている。
【００１７】
そのため、軒樋の前耳を軒樋耳部嵌合凹所に上方から挿入する際、上面部が水平な略半円形状の前耳であっても、従来のように軒樋を略９０°回転させなくても、前壁を略水平な状態にして、前耳を軒樋耳部嵌合凹所に挿入できる。
【００１８】
具体的には、軒樋の前耳を軒樋耳部嵌合凹所に挿入するための回転角度は、９０°−〔傾斜面部の傾斜角度（α）〕である。
【００１９】
そのため、軒樋の前耳を僅かに回転するだけで、軒樋耳部嵌合凹所に挿入することができ、前耳を軒樋耳部嵌合凹所に簡単且つ安全に係止できる。
【００２０】
請求項２に係る軒樋支持構造によれば、係止片の先端を前方下側に向けて傾斜させて傾斜ガイド面を形成し、この傾斜ガイド面を前耳の傾斜面部に沿ってスライドさせて係止させる構造にしているため、前耳を軒樋耳部嵌合凹所に更に簡単且つスムーズに係止できる。
【００２１】
請求項３に係る軒樋支持構造によれば、軒樋支持具本体の前壁部に、前方側に向けて突設した下支え突部を形成してなるため、軒樋の前耳とともに該軒樋の前壁も係止されるため、軒樋をより確実に係止できる。
【発明を実施するための最良の形態】
【００２２】
以下、本発明に係る軒樋支持構造Ａを図面とともに説明する。
【実施例１】
【００２３】
図１は、本発明に係る軒樋支持構造Ａの一実施例を概略した取付状態側面図である。図２（ａ）〜（ｃ）は、図１で示した軒樋支持構造Ａの動作図である。
【００２４】
この軒樋支持構造Ａは、軒樋支持具本体１の前部に設けた上方へ開口した断面コ状の軒樋耳部嵌合凹所２に、軒樋Ｔの前耳Ｔ１を嵌挿すると共に、軒樋耳部嵌合凹所２の後壁部上端から前方に延設した係止片３を、前耳Ｔ１に係止するものであって、軒樋Ｔの前耳Ｔ１の上面部を、後方下側に向けて傾斜させた傾斜面部Ｔ１１を形成し、この傾斜面部Ｔ１１に沿って軒樋支持具本体１の係止片３をスライドさせて係止させる構造にしている。
【００２５】
ここで、軒樋耳部嵌合凹所Ｓとは、前耳Ｔ１を収容可能な空間を意味し、前耳Ｔ１の形状等に応じて適宜形成される。
【００２６】
本発明の要部である傾斜面部Ｔ１１の傾斜角度α°は、任意であり、軒樋Ｔの大きさや形状、重量等によって適宜選択する。
【００２７】
なお、本実施例の軒樋Ｔは、合成樹脂にて一体成形されたものを例示するが、金属製のものであっても構わない。
【００２８】
係止片３は、先端が平面であっても構わないが、ここでは、係止片３の先端を前方下側に向けて傾斜させて傾斜ガイド面３１を形成し、この傾斜ガイド面３１を前耳Ｔ１の傾斜面部Ｔ１１に沿ってスライドさせて係止するようにしている。
【００２９】
以上のように構成した本発明の軒樋支持構造Ａは、以下の要領で作用する。
【００３０】
先ず、軒先等の壁面Ｈに固定部Ｋを周知手段で固定して設置する。
【００３１】
次に、軒樋Ｔを回転させて、傾斜面部Ｔ１１を略鉛直方向の状態とし、前耳Ｔ１を軒樋耳部嵌合凹所２に嵌挿すれば、前耳Ｔ１の上面部である傾斜面部Ｔ１１が、軒樋支持具本体１の係止片３に接合する〔図２、（ａ）参照。〕。
【００３２】
そして、この係止片３に接合した状態で、傾斜面部Ｔ１１をスライドさせて軒樋耳部嵌合凹所２に嵌挿すれば、係止片３に誘導されながら前耳Ｔ１は軒樋耳部嵌合凹所２に収容される〔図２、（ｂ）参照。〕。
【００３３】
このように前耳Ｔ１を軒樋耳部嵌合凹所２に収容した後、前耳Ｔ１を支点にして軒樋Ｔを前記と逆方向に回転させて、軒樋Ｔの後耳Ｔ２を軒樋支持具本体１の後方に形成した後耳嵌合凹所Ｓに向けて嵌挿すれば、後耳Ｔ２が係止爪Ｓ１を乗り越えて後耳部嵌合凹所Ｓに嵌挿されるとともに、係止爪Ｓ１の弾性復元力によって、後耳Ｔ２が図示のように係止されて、抜け外れを防止する〔図２、（ｃ）参照。〕。
【００３４】
この後耳Ｔ２の係止と略同時に、前耳Ｔ１も軒樋耳部嵌合凹所２に嵌合されて係止され、軒樋Ｔが樋支持具本体１に取付けできる。
【００３５】
また、本実施例では、軒樋耳部嵌合凹所２の下方に延設される軒樋支持具本体１の前壁部に、前方側（外側）に向けて突設した下支え突部４を形成してなる。
【００３６】
そのため、後耳Ｔ２及び前耳Ｔ１が係止される際、軒樋Ｔの前壁内側に向けて突設した凹部Ｔ３も略同時に下支え突部４に係止され、軒樋Ｔをより確実に係止できる。
【００３７】
以上の通り、本発明に係る軒樋支持構造Ａによれば、軒樋Ｔの前耳Ｔ１を僅かに回転するだけで、軒樋耳部嵌合凹所２に挿入することができ、前耳Ｔ１を軒樋耳部嵌合凹所２に簡単且つ安全に係止できるのである。
【図面の簡単な説明】
【００３８】
【図１】本発明に係る軒樋支持構造Ａの一実施例を概略した取付状態側面図である。
【図２】（ａ）〜（ｃ）は、図１で示した軒樋支持構造Ａの動作図である。
【符号の説明】
【００３９】
Ａ    軒樋支持構造
Ｔ    軒樋
Ｔ１  前耳
Ｔ１１  傾斜面部
１    軒樋支持具本体
２    軒樋耳部嵌合凹所
３    係止片
３１  傾斜ガイド面
４    下支え突部
【図１】
2008240433.tif 000003
【図２】
2008240433.tif 000004